(57)【要約】【課題】防音パネルとワイヤーとの連結及び連結解除を容易にする。【解決手段】所定の間隔で設置された支柱間に積み重ねられる防音パネル（１００）であって、吸音部（１０）と、吸音部（１０）の背面側に配置される背壁部を有し、吸音部（１０）を収容する収容部と、収容部の側部に設けられた側壁部とを備えるパネル本体と、側壁部に設けられてパネル本体同士を繋ぐワイヤーに係止される係止具（２）とを備え、係止具（２）は、側壁部に取り付けられる取付部と、取付部に連なって形成されて互いに向かい合う一対の連接部とを備え、連接部はそれぞれ、互いに向かい合う縁部の一方の縁部から他方の縁部に延びて前記ワイヤーが進入するスリットを有し、スリットはそれぞれ一対の連接部と交差する同一の仮想平面上を延びていてかつ互いに異なる側の縁部から延びて一部が互いに重なることを特徴とする。【選択図】図１
2018119585.tif 000002
【特許請求の範囲】
【請求項１】
所定の間隔で設置された支柱間に積み重ねられる防音パネルであって、
吸音部と、前記吸音部の背面側に配置される背壁部を有し、前記吸音部を収容する収容部と、前記収容部の側部に設けられた側壁部と、を備えるパネル本体と、
前記側壁部に設けられて前記パネル本体同士を繋ぐワイヤーに係止される係止具と
を備え、
前記係止具は、前記側壁部に取り付けられる取付部と、該取付部に連なって形成されて互いに向かい合う一対の連接部と、を備え、前記連接部はそれぞれ、互いに向かい合う縁部の一方の縁部から他方の縁部に延びて前記ワイヤーが進入するスリットを有し、
前記スリットはそれぞれ、前記一対の連接部と交差する同一の仮想平面上を延びていて、かつ互いに異なる側の縁部から延びて一部が互いに重なる
ことを特徴とする防音パネル。
【請求項２】
前記側壁部に側壁開口が形成されていることを特徴とする請求項１に記載の防音パネル。
【請求項３】
前記側壁開口は、前記防音パネルの上下方向において前記側壁部の中心よりも上側に形成されており、
前記係止具は、前記上下方向において前記側壁開口よりも下側に形成されていることを特徴とする請求項２に記載の防音パネル。
【請求項４】
前記係止具の先端部は、前記防音パネルの長手方向において前記側壁部から前記支柱側に突出していることを特徴とする請求項１から３までのいずれか一項に記載の防音パネル。
【請求項５】
前記係止具の取付部には、前記側壁部に連結する連結具が挿通される挿通孔が形成されており、
前記取付部の内面には、前記連結具を係止する係止部材が前記挿通孔に対して同心に取り付けられていることを特徴とする請求項１から４までのいずれか一項に記載の防音パネル。
【請求項６】
前記背壁部に背壁開口が設けられており、
前記背壁開口と、前記防音パネルの長手方向における前記背壁部の端部との間に固定部材を備えることを特徴とする請求項１から５までのいずれか一項に記載の防音パネル。
【請求項７】
前記背壁開口は、前記背壁部の上側の端部の近傍に設けられていることを特徴とする請求項６に記載の防音パネル。
【請求項８】
前記係止具は、前記パネル本体の厚さ方向において前記背壁部とは反対側の前記側壁部の端部の近傍で前記側壁部に取り付けられていることを特徴とする請求項１から７までのいずれか一項に記載の防音パネル。
【請求項９】
所定の間隔で設置された支柱間に請求項１から８までのいずれか一項に記載の防音パネルを設置する方法であって、
前記パネル本体を、前記支柱間に正面側から挿入するステップと、
前記支柱と前記側壁部との間のスペースに前記係止具を挿入するステップと、
前記スペースにおいて前記係止具の前記一対の連接部の間に前記ワイヤーを挟むステップと、
前記各スリットに前記ワイヤーが進入する方向に前記係止具を回転させて前記係止具を前記ワイヤーに係止するステップと、
前記ワイヤーに係止された前記係止具を前記側壁部に固定するステップと
を備えることを特徴とする防音パネルの設置方法。
【請求項１０】
前記側壁部に側壁開口が形成されており、前記収容部側から前記側壁開口を通じて前記支柱と前記側壁部との間のスペースに前記係止具を挿入するステップを備えることを特徴とする請求項９に記載の防音パネルの設置方法。
【請求項１１】
前記パネル本体の上下方向において前記背壁部の上側の端部の近傍に背壁開口が設けられており、前記収容部側から前記背壁開口を通じて、前記支柱と前記背壁部との間のスペースにおいて、前記防音パネルを前記支柱に固定する固定部材を前記背壁部に取り付けるステップを備えることを特徴とする請求項９又は１０に記載の防音パネルの設置方法。
【請求項１２】
所定の間隔で設置された支柱と、
前記支柱間に積み重ねられる請求項１から８までのいずれか一項に記載の防音パネルと
を備えることを特徴とする防音壁。
【請求項１３】
前記支柱の高さ方向において前記防音パネルの上方に他の防音パネルが積み重ねられており、当該他の防音パネルと前記防音パネルとの間に前記他の防音パネルを支持する受け材が前記支柱に取り付けられていることを特徴とする請求項１２に記載の防音壁。
【発明の詳細な説明】
【技術分野】
【０００１】
本発明は、所定の間隔で設置された支柱間に積み重ねられる防音パネル、当該防音パネルの設置方法、及び当該防音パネルを備える防音壁に関する。
【背景技術】
【０００２】
従来、所定の間隔で立設した支柱間に複数の防音パネルが挿入されて構築する防音壁において、防音パネルの側縁に取り付けられたアイボルトにワイヤーを通し、そのワイヤーの先端部を支柱のウェブ上端部へ取り付けることにより、防音パネルの落下を防止する技術が多々実施されている（例えば、特許文献１参照。）。
【先行技術文献】
【特許文献】
【０００３】
【特許文献１】特開２００２−２２７１４５号公報
【発明の概要】
【発明が解決しようとする課題】
【０００４】
ところで、道路際に構築される防音壁は、車両等の接触により一部の防音パネルが破損することがある。例えば、破損した防音パネルを交換する場合には、アイボルトを切断して防音パネルとワイヤーとの連結を解除するか、又はワイヤーを支柱から取り外してアイボルトから抜いて防音パネルとワイヤーとの連結を解除して、当該防音パネルを支柱から取り外す必要があり、交換時の作業工程が多くなっていた。
【０００５】
そこで、本発明は、上記課題に鑑みてなされたものであり、ワイヤーとの連結及び連結解除を容易にする防音パネル、防音パネルの設置方法及び防音パネルを備える防音壁を提供することを目的とする。
【課題を解決するための手段】
【０００６】
上記課題を解決するために、本発明は、所定の間隔で設置された支柱間に積み重ねられる防音パネルであって、吸音部と、前記吸音部の背面側に配置される背壁部を有し、前記吸音部を収容する収容部と、前記収容部の側部に設けられた側壁部と、を備えるパネル本体と、前記側壁部に設けられて前記パネル本体同士を繋ぐワイヤーに係止される係止具とを備え、前記係止具は、前記側壁部に取り付けられる取付部と、該取付部に連なって形成されて互いに向かい合う一対の連接部と、を備え、前記連接部はそれぞれ、互いに向かい合う縁部の一方の縁部から他方の縁部に延びて前記ワイヤーが進入するスリットを有し、前記スリットはそれぞれ、前記一対の連接部と交差する同一の仮想平面上を延びていて、かつ互いに異なる側の縁部から延びて一部が互いに重なることを特徴とする。
【０００７】
また、前記側壁部に側壁開口が形成されていることが好ましい。
【０００８】
また、前記側壁開口は、前記防音パネルの上下方向において前記側壁部の中心よりも上側に形成されており、前記係止具は、前記上下方向において前記側壁開口よりも下側に形成されていることが好ましい。
【０００９】
また、前記係止具の先端部は、前記防音パネルの長手方向において前記側壁部から前記支柱側に突出していることが好ましい。
【００１０】
また、前記係止具の取付部には、前記側壁部に連結する連結具が挿通される挿通孔が形成されており、前記取付部の内面には、前記連結具を係止する係止部材が前記挿通孔に対して同心に取り付けられていることが好ましい。
【００１１】
また、前記背壁部に背壁開口が設けられており、前記背壁開口と、前記防音パネルの長手方向における前記背壁部の端部との間に固定部材を備えることが好ましい。
【００１２】
また、前記背壁開口は、前記背壁部の上側の端部の近傍に設けられていることが好ましい。
【００１３】
また、記係止具は、前記パネル本体の厚さ方向において前記背壁部とは反対側の前記側壁部の端部の近傍で前記側壁部に取り付けられていることが好ましい。
【００１４】
さらに、上記課題を解決するために、本発明は、所定の間隔で設置された支柱間に防音パネルを設置する方法であって、前記パネル本体を、前記支柱間に正面側から挿入するステップと、前記支柱と前記側壁部との間のスペースに前記係止具を挿入するステップと、前記スペースにおいて前記係止具の前記一対の連接部の間に前記ワイヤーを挟むステップと、前記各スリットに前記ワイヤーが進入する方向に前記係止具を回転させて前記係止具を前記ワイヤーに係止するステップと、前記ワイヤーに係止された前記係止具を前記側壁部に固定するステップとを備えることを特徴とする。
【００１５】
また、前記側壁部に側壁開口が形成されており、前記収容部側から前記側壁開口を通じて前記支柱と前記側壁部との間のスペースに前記係止具を挿入するステップを備えることが好ましい。
【００１６】
また、前記パネル本体の上下方向において前記背壁部の上側の端部の近傍に背壁開口が設けられており、前記収容部側から前記背壁開口を通じて、前記支柱と前記背壁部との間のスペースにおいて、前記防音パネルを前記支柱に固定する固定部材を前記背壁部に取り付けるステップを備えることが好ましい。
【００１７】
さらに、上記課題を解決するために、本発明に係る防音壁は、所定の間隔で設置された支柱と、前記支柱間に積み重ねられる防音パネルとを備えることを特徴とする。
【００１８】
また、前記支柱の高さ方向において前記防音パネルの上方に他の防音パネルが積み重ねられており、当該他の防音パネルと前記防音パネルとの間に前記他の防音パネルを支持する受け材が前記支柱に取り付けられていることが好ましい。
【発明の効果】
【００１９】
本発明により、防音パネルとワイヤーとの連結及び連結解除が容易になる。
【図面の簡単な説明】
【００２０】
【図１】防音パネルの正面図である。
【図２】吸音材を取り除いた状態において第１の実施の形態に係る防音パネルの構成を説明するための図である。
【図３】図１のIII-III線に沿った断面図である。
【図４】図１のIV-IV線に沿った断面図である。
【図５】上枠の断面図である。
【図６】下枠の断面図である。
【図７】側壁部の構成を示す図である。
【図８】側壁部の構成を示す図である。
【図９】縦枠の断面図である。
【図１０】防音パネルが支柱間に挿入された状態を説明するための概略図である。
【図１１】係止具の構成を説明するための図である。
【図１２】吸音材を取り除いた状態において第２の実施の形態に係る防音パネルの構成を説明するための図である。
【図１３】防音壁の構成を説明するための図である。
【図１４】図１３（ｂ）におけるXIV部分の拡大図である。
【図１５】受け材の本体の構成を説明するための図である。
【図１６】受け材の支持体の構成を説明するための図である。
【図１７】防音壁に第１及び第２の実施の形態に係る防音パネルを設置する手順を説明するための概略図である。
【図１８】支柱間への第２の実施の形態に係る防音パネルの設置を説明するための図である。
【図１９】ワイヤーへの係止具の係止を説明するための図である。
【図２０】防音壁に第１の実施の形態に係る防音パネルが設置された状態を示す図である。
【発明を実施するための形態】
【００２１】
本発明の好ましい実施の形態について、図面を参照しながら説明する。なお、以下に示す実施の形態は一例であり、本発明の範囲において、種々の実施の形態をとりうる。
【００２２】
＜第１の実施の形態に係る防音パネル＞
図１は、防音パネルの正面図である。図２は、吸音材を取り除いた状態において防音パネルの構成を説明するための図であり、（ａ）は、パネル本体の正面図であり、（ｂ）は、パネル本体の背面図である。図３は、図１のIII-III線に沿った断面図である。図４は、図１のIV-IV線に沿った断面図である。図５は、上枠の断面図である。図６は、下枠の断面図である。図７は、側壁部の構成を示す図である。図８は、側壁部の構成を示す図であり、（ａ）は、係止具が取り付けられていない状態を示す図であり、（ｂ）は、係止具が取り付けられた状態を示す図である。図９は、縦枠の断面図である。図１０は、防音パネルが支柱間に挿入された状態を説明するための概略図である。図１１は、係止具の構成を説明するための図であり、（ａ）は、係止具の側面図であり、（ｂ）は、係止具の平面図であり、（ｃ）は、係止具の底面図であり、（ｄ）は、係止具の斜視図である。
防音パネル１００は、道路や線路上を走行する車両の騒音源からの騒音の拡散を抑えるために用いられるものであり、騒音源の脇に設置される防音壁２００（図１３参照。）を構築する。
図１から図３に示すように、防音パネル１００は、パネル本体１と、係止具２と、固定部材３とを備える。
【００２３】
［パネル本体］
図１から図８に示すように、パネル本体１は、吸音材１０（吸音部）と、収容部２０と、上枠３０（上部支持部）と、下枠４０（下部支持部）と、側壁部５０と、縦枠６０とを備えている。
【００２４】
（吸音材）
図１に示すように、吸音材１０は、防音パネル１００のユニットの大きさに合わせて、例えば、平面視矩形状に形成された板状の部材である。吸音材１０は、正面側が騒音源に面するように配置される。吸音材１０は、例えば、ポリエステル繊維から形成されており、弾性変形可能である。
図３に示すように、吸音材１０の正面には、吸音材１０を保護する保護材１１が設けられている。保護材１１は、例えば、ポリエステルの特殊撥水クロスから形成されており、耐候性（耐水、耐熱、耐紫外線）に優れ、吸音材１０の劣化を抑制する。
【００２５】
（収容部）
図２から図４に示すように、収容部２０は、吸音材１０を収容するものであり、断面視略Ｕ字状に形成された板状の部材である。収容部２０は、例えば、合金めっき鋼板から形成されている。
収容部２０は、吸音材１０の背面（正面側とは反対側の面）側に配置される背壁部２１と、背壁部２１に取り付けられているカバー２２と、背壁部２１の上端部から吸音材１０に向けて斜め上方に延出する上部延出部２３と、背壁部２１の下端部から吸音材１０に向けて斜め上方に延出する下部延出部２４とを備えている。
また、図示の収容部２０においては、従来の防音パネルに備えられていた正面板を備えていない。そのため、吸音材１０は、その正面側が外部に露出した状態で収容部２０に収容される。
【００２６】
（背壁部）
背壁部２１は、吸音材１０の背面に沿って延びている。背壁部２１は、主面部２１ａと、屈曲部２１ｂと、開口（背壁開口）２１ｃと、を有している。
主面部２１ａは、防音パネル１００の上下方向（高さ方向）に、正面側及び背面側を臨む吸音材１０の主面に対して略平行に延在している部分である。
屈曲部２１ｂは、防音パネル１００の上下方向において、背壁部２１の中央部付近に主面部２１ａから吸音材１０に向かって屈曲して加工された部分である。屈曲部２１ｂは、防音パネル１００の長手方向（横（左右）方向）に沿って背壁部２１の一端から他端まで延在している。
屈曲部２１ｂは、背壁部２１の主面部２１ａから収容部２０の内側に向かって斜め下方に延出する傾斜部２１ｄと、斜め上方に延在する傾斜部２１ｅと、両傾斜部２１ｄ，２１ｅを連結する連結部２１ｆとを備えている。連結部２１ｆは、背壁部２１の主面部２１ａに対して平行に延在していて、吸音材１０の背面側から吸音材１０に当接して吸音材１０を背面側から支持している。傾斜部２１ｄには、後述するカバー２２を所定の位置で固定するための、ボルト８１及びナット８２を備える締結具８用の孔が形成されている。
なお、ボルト８１は、収容部２０の内側から外側に向かって締結具８用の孔に挿通される。ナット８２は、背壁部２１の外側の面において傾斜部２１ｄに締結具８用の孔と同心をなして溶接されている。しかしながら、ボルト８１を、背壁部２１の外側から内側に向かって締結具８用の孔に挿入した状態で傾斜部２１ｄに溶接により固定して、収容部２０の内側からナット８２により締め付けてもよい。
【００２７】
開口２１ｃは、背壁部２１の厚さ方向に貫通して、平面視矩形に形成されている。開口２１ｃは、防音パネル１００の上下方向において、屈曲部２１ｂの上側の主面部２１ａに形成されており、防音パネル１００の長手方向において、背壁部２１の両側端部に設けられている。
【００２８】
また、背壁部２１の主面部２１ａには、固定部材３を固定する、例えばボルトのような締結具が挿通される挿通孔２１ａｈが形成されている。固定部材３用の挿通孔２１ａｈは、防音パネル１００の長手方向において背壁部２１の側端部と開口２１ｃとの間に形成されている。
【００２９】
（カバー）
カバー２２は、収容部２０の内側で背壁部２１に取り付けられて、開口２１ｃを閉鎖する合金めっき鋼板の板材である。カバー２２は、少なくとも開口２１ｃを完全に覆う大きさを有する。図２及び図４に示すように、カバー２２は、開口２１ｃを閉鎖する閉鎖部２２ａと、背壁部２１に取り付けられる取付部２２ｂと、上枠３０に当接する当接部２２ｃとを備えている。
閉鎖部２２ａは、背壁部２１の主面部２１ａに当接していて、背壁部２１の開口２１ｃの開閉を担う部分である。閉鎖部２２ａの、収容部２０の内側を向く面には、取っ手２２ｄが設けられている。
取付部２２ｂは、防音パネル１００の上下方向において、閉鎖部２２ａの下側に設けられており、閉鎖部２２ａに対して収容部２０の内側に向かって折り曲げられている。具体的には、カバー２２の取付部２２ｂは、背壁部２１の屈曲部２１ｂの傾斜部２１ｄに沿って防音パネル１００の内側に向かい閉鎖部２２ａから斜め下方に延在している。
取付部２２ｂには、防音パネル１００の長手方向に沿って延在する長孔２２ｅが形成されている。長孔２２ｅは、締結具８用の背壁部２１の傾斜部２１ｄに形成されている孔に重なっている。長孔２２ｅの短手方向の幅は、ボルト８１のネジ山が形成されている軸部分の直径よりも大きく形成されている。したがって、カバー２２のスライド時に、カバー２２の長孔２２ｅの縁と、ボルト８１のネジ山が形成されている軸部分とが接触して、カバー２２の移動を妨げないようになっている。
当接部２２ｃは、防音パネル１００の上下方向において、閉鎖部２２ａの上側に連結されており、閉鎖部２２ａから収容部２０の内側に向けて延び、その途中で下方に折り返して形成された断面視Ｌ字形の部分である。当接部２２ｃは、上枠３０の第２の当接部３１ｂに当接してカバー２２の移動を補助するように形成されている。
【００３０】
（上部延出部及び下部延出部）
図４に示すように、上部延出部２３は、その先端部が下方に向けて折り曲げられて吸音材１０の正面の面方向に対してほぼ平行に延びている。また、防音パネル１００の長手方向において、上部延出部２３の両端部には、後述する脱落防止用のワイヤーＷが挿通するための切り欠きが形成されている（図示せず。）。
下部延出部２４は、その先端部が下方に向けて折り曲げられており、吸音材１０の正面の面方向に対してほぼ平行に延びている。また、防音パネル１００の長手方向において、下部延出部２４の両端部には、後述するワイヤーＷが挿通するための切り欠き２４ａが形成されている（図７参照。）。
ここで、上部延出部２３と下部延出部２４とは、その延出方向がほぼ平行となるように形成されている。また、下部延出部２４は、上部延出部２３よりも正面側に突出するように形成されている。
【００３１】
（上枠）
図４に示すように、上枠３０は、収容部２０に収容された吸音材１０の上端部を支持するものである。上枠３０は、例えば、アルミニウム又はアルミニウム合金から形成されている。図５に示すように、上枠３０は、吸音材１０を支持する支持部３１と、収容部２０に嵌め込まれる嵌合部３２と、を備えている。
【００３２】
支持部３１は、吸音材１０にその正面側から当接する第１の当接部３１ａと、吸音材１０にその背面側から当接する第２の当接部３１ｂと、第１の当接部３１ａと第２の当接部３１ｂとを連結し、吸音材１０の上端面に対向する連結部３１ｃと、第１の当接部３１ａに連続し、騒音源側に張り出した張出部３１ｄと、を備えており、これらは一体に形成されている。
第１の当接部３１ａは、防音パネル１００の上下方向に沿って直線状に延びるように形成されており、その下端部（先端部）は、支持される吸音材１０の正面に向けて若干突出している。
第２の当接部３１ｂは、防音パネル１００の上下方向に沿って直線状に延びるように形成されている。すなわち、第２の当接部３１ｂは、第１の当接部３１ａとほぼ平行に延びている。第２の当接部３１ｂは、その先端部が第１の当接部３１ａの先端部よりも下方に位置するように形成されている。
連結部３１ｃは、防音パネル１００の厚さ方向に沿って延びるように形成されており、第１の当接部３１ａに突き当たる直前で下方に向けて屈曲し、さらに、その途中で吸音材１０の厚さ方向に沿って第１の当接部３１ａに向けて屈曲するように形成されている。これにより、連結部３１ｃにおける第１の当接部３１ａ側の端部には、上方に開口する凹部３２ｂが形成されている。連結部３１ｃは、吸音材１０の正面側の端部で第１の当接部３１ａに連続しており、吸音材１０の背面側の端部で第２の当接部３１ｂに連続している。連結部３１ｃは、第１の当接部３１ａの内面と第２の当接部３１ｂの内面との間隔が吸音材１０の厚さ以下となるような長さに形成されている。
張出部３１ｄは、第１の当接部３１ａの上端及び下端に連続しており、正面側に張り出している。これにより、第１の当接部３１ａと張出部３１ｄとで閉構造を形成している。
【００３３】
嵌合部３２は、上部延出部２３に係合する係合部３２ａと、上部延出部２３と上枠３０との係合が外れることを防止する凹部３２ｂとを備えており、これらは支持部３１と共に一体に形成されている。
係合部３２ａは、支持部３１の第１の当接部３１ａの上端から連続して上方に向けて延び、その途中で支持部３１の第２の当接部３１ｂ側に向けて折り返すように形成されている。係合部３２ａは、途中までは第１の当接部３１ａと同一直線上に延び、先端部は、防音パネル１００の背面側に向けて斜め下方に延びている。係合部３２ａの先端部の下り傾斜は、上部延出部２３の先端部の上り傾斜とほぼ同じ勾配である。
凹部３２ｂは、吸音材１０の厚さ方向に沿った幅（開口幅）が、少なくとも上部延出部２３を嵌め込むことができるような幅を有するように形成されている。また、凹部３２ｂは、防音パネル１００の上下方向に沿った深さが、上部延出部２３を係止するのに十分な深さを有するように形成されている。
このように、上枠３０を上部延出部２３に嵌め込むと、上部延出部２３の先端部は、上枠３０の係合部３２ａの内面に沿って当接すると共に、凹部３２ｂによって移動が規制されるため、外れることなくしっかりと嵌め込むことができる。
【００３４】
（下枠）
図４に示すように、下枠４０は、収容部２０に収容された吸音材１０の下端部を支持するものである。図６に示すように、下枠４０は、例えば、アルミニウム又はアルミニウム合金から形成されている。下枠４０は、吸音材１０を支持する支持部４１と、収容部２０に嵌め込まれる嵌合部４２と、を備えている。
【００３５】
支持部４１は、吸音材１０の正面側から当接する第１の当接部４１ａと、吸音材１０の背面側から当接する第２の当接部４１ｂと、第１の当接部４１ａと第２の当接部４１ｂとを連結し、吸音材１０の下端面に対向する連結部４１ｃと、第１の当接部４１ａに連続し、正面側に張り出した第１の張出部４１ｄと、連結部４１ｃの内面から内側（上方）に向けて張り出した第２の張出部４１ｅとを備えており、これらは一体に形成されている。
第１の当接部４１ａは、防音パネル１００の上下方向に沿って直線状に延びるように形成されており、その上端部（先端部）は、支持される吸音材１０の正面に向けて若干突出している。
第２の当接部４１ｂは、防音パネル１００の上下方向に沿って延びるように形成されており、その途中で第１の当接部４１ａ側に向けて屈曲し、さらに防音パネル１００の上方向に向けて屈曲するように形成されている。第２の当接部４１ｂは、その先端部が第１の当接部４１ａの先端部よりも上方に位置するように形成されている。
連結部４１ｃは、第２の当接部４１ｂから第１の当接部４１ａに向かうにつれて上方に傾斜するように形成されている。連結部４１ｃは、吸音材１０の正面側で第１の当接部４１ａに連続しており、吸音材１０の背面側で第２の当接部４１ｂに連続している。連結部４１ｃは、第１の当接部４１ａの内面と第２の当接部４１ｂの内面との間隔が吸音材１０の厚さ以下となるような長さに形成されている。連結部４１ｃの上り傾斜は、下部延出部２４の上り傾斜とほぼ同じ勾配である。
第１の張出部４１ｄは、第１の当接部４１ａの上端及び連結部４１ｃの正面側の端部に連続しており、正面側に張り出しており、その上部が第１の当接部４１ａに向けて滑らかに湾曲するように形成されている。これにより、第１の当接部４１ａと第１の張出部４１ｄとで閉構造を形成している。
第２の張出部４１ｅは、第２の当接部４１ｂ及び連結部４１ｃに連続しており、収容される吸音材１０側（上方）に張り出している。これにより、第２の当接部４１ｂと連結部４１ｃと第２の張出部４１ｅとで閉構造を形成している。
【００３６】
嵌合部４２は、下部延出部２４に係合する係合部４２ａと、下部延出部２４と下枠４０との係合が外れることを防止する爪部４２ｂとを備えており、これらは支持部４１と共に一体に形成されている。
係合部４２ａは、支持部４１の第１の張出部４１ｄから連続して下方に向けて延びるように形成されている。係合部４２ａは、第１の当接部４１ａ及び第２の当接部４１ｂと平行に延びている。すなわち、下部延出部２４は、係合部４２ａの内面と、連結部４１ｃの下面に当接することで、下枠４０に係合する。
爪部４２ｂは、係合部４２ａの先端部（下端部）から上方に向かって折り返すように折り曲げられて形成されている。爪部４２ｂは、係合部４２ａから下部延出部２４の厚さに相当する間隔をあけて係合部４２ａよりも防音パネル１００の背面側に設けられている。
このように、下枠４０を下部延出部２４に嵌め込むと、下部延出部２４の先端部は、下枠４０の係合部４２ａの内面に沿って当接すると共に、爪部４２ｂによって移動が規制されるため、外れることなくしっかりと嵌め込むことができる。
【００３７】
また、下部延出部２４と下枠４０は、リベットＬ１で連結されている（図３及び図４参照。）。リベットＬ１は、外側に位置する下部延出部２４から差し込まれており、その先端が第２の当接部４１ｂと連結部４１ｃと第２の張出部４１ｅとで形成された閉構造空間内に向けて挿通されている。リベットＬ１は、例えば、ステンレスから形成されている。
【００３８】
また、上枠３０の上面側に位置する嵌合部３２は、下枠４０の下面側に位置する嵌合部４２に嵌合自在とされている。すなわち、防音パネル１００が積み重ねられる場合、一方の防音パネル１００の上枠３０に、他方の防音パネル１００をその下枠４０において積み重ねることができるように上枠３０及び下枠４０が形成されている。
さらに、上枠３０と下枠４０とは、吸音材１０の厚さ方向に沿った長さが等しくなるように形成されており、防音パネル１００を積み重ねた際に、上枠３０及び下枠４０の正面及び裏面がほぼ面一となる。これにより、上枠３０及び下枠４０によって支持される吸音材１０も、積み重ねた際に正面及び背面がほぼ面一となる。よって、複数の防音パネル１００を上下方向（高さ方向）に積み重ねて防音壁として用いることができる。
【００３９】
（側壁部）
側壁部５０は、防音パネル１００の長手方向において収容部２０の両側端部にそれぞれ設けられている。図７に示すように、側壁部５０は、横断面視Ｕ字状に形成された板状の部材であり、図８に示すように、防音パネル１００の上下方向において背壁部２１の上部延出部２３と下部延出部２４との間に亘って延在している。側壁部５０は、金属製であり、例えば、合金めっき鋼板から形成されている。
【００４０】
側壁部５０は、防音パネル１００の厚さ方向に延びて収容部２０の側方を覆う本体部５１と、防音パネル１００の正面側及び背面側において当該本体部５１の端部から収容部２０とは反対側へ突出する一対の突出部５２，５３とを備える。側壁部５０の本体部５１及び背面側の突出部５３は、背壁部２１の主面部２１ａ及び屈曲部２１ｂの延在形状に沿うように形成されている。
図８（ａ）、（ｂ）に示すように、側壁部５０の本体部５１には開口（側壁開口）５１ａが形成されている。具体的には、開口５１ａは、防音パネル１００の上下方向において中心よりも上側に、具体的には、防音パネル１００の上下方向において屈曲部２１ｂよりも上側の本体部５１に設けられている。さらに、本体部５１の開口５１ａの下側には、係止具２を取り付けるためのボルトＢ（図１０参照。）の軸部が挿通される挿通孔５１ｂが形成されている。
挿通孔５１ｂは、防音パネル１００の厚さ方向において本体部５１の中心よりも正面側の突出部５２側に形成されている。
側壁部５０は、正面側の突出部５２において後述する縦枠６０にリベットＬ２を用いて連結されており、背面側の突出部５３において背壁部２１にリベットＬ３を用いて連結されている。これにより、防音パネル１００における両側端部は、側壁部５０で覆われ、吸音材１０が離脱できないようになっている。
【００４１】
（縦枠）
図９に示すように、縦枠６０は、防音パネル１００の正面側に露出する側壁部５０の正面側の突出部５２を被覆するものであり、側壁部５０が見えることによる見映えの悪化を防止する化粧材として用いられる。縦枠６０は、例えば、アルミニウム又はアルミニウム合金から形成されている。縦枠６０は、化粧部６１と、係止部６２とを備えている。
化粧部６１は、側壁部５０の正面側の突出部５２を覆うものであり、側壁部５０に連結した状態において、側壁部５０の正面に沿って直線状に延びている。化粧部６１は、その一端部近傍でリベットＬ２により側壁部５０の突出部５２と連結されている。化粧部６１の正面における側壁部５０との連結領域には、シール材Ｓが貼り付けられている。シール材Ｓは、例えば、５倍に発泡されたクロロプレンゴムから形成されている。
係止部６２は、化粧部６１に連続して一体に形成されており、側壁部５０が折り曲げられている位置で化粧部６１の延在方向に対してほぼ直角をなす方向に折り曲げられており、さらに途中でほぼ直角に折り曲げられて延びている。
【００４２】
［係止具］
図１０に示すように、係止具２は、支柱Ｈ間に積み重ねられる防音パネル１００同士を繋ぐワイヤーＷに係止され、側壁部５０の本体部５１に取り付けられている。
図１１（ａ）に示すように、係止具２は、断面視略Ｕ字状に形成されている。係止具２は、金属製であり、例えば、アルミニウム、アルミニウム合金、鋼、鋼合金等により形成されている。
係止具２は、側壁部５０の本体部５１に取り付けられる取付部２ａと、当該取付部２ａに連なって形成されて互いに向かい合う一対の連接部２ｂ，２ｃとを一体に備える。
取付部２ａは、平面視略矩形状であり、その中央部に側壁部５０の本体部５１に取り付けるためのボルトＢが挿通される挿通孔（図示せず。）が形成されている。本体部５１を臨む外面とは反対側の取付部２ａの内面には、ボルトＢと係合するナット（係合部材）Ｎが、例えば溶接等により挿通孔と同心に連結されている。
【００４３】
連接部２ｂ，２ｃは、取付部２ａの長手方向に沿った各縁部から同じ方向に突き出して延在している。つまり、連接部２ｂ，２ｃは、互いに離間した状態で向かい合うようにして略平行に形成されている。取付部２ａからの連接部２ｂ，２ｃの延出長さは、係止具２を側壁部５０に取り付けた状態において、側壁部５０の突出部５２を超えるようになっている（図１０参照。）。
【００４４】
図１１（ｂ）に示すように、連接部２ｂの先端側には、平面視略Ｔ字状に切り欠かれた切欠き部２ｄが形成されている。切欠き部２ｄは、スリット２ｄｓと、当該スリット２ｄｓに連通する交差スリット２ｄｃｓとを有する。スリット２ｄｓは、取付部２ａから延びる連接部２ｂの縁部２ｂａ，２ｂｂの一方の縁部２ｂａから他方の縁部２ｂｂに向かって延びる。スリット２ｄｓは、取付部２ａに対して略平行に延びている。交差スリット２ｄｃｓは、スリット２ｄｓの先端において当該スリット２ｄｓの延在方向に対して直交して形成されている。なお、連接部２ｂの先端は、連接部２ｃとは反対側に少し曲げられている（図１１（ａ）参照。）。
【００４５】
図１１（ｃ）に示すように、連接部２ｃの先端側には、平面視略Ｔ字状に切り欠かれた切欠き部２ｅが形成されている。切欠き部２ｅは、スリット２ｅｓと、当該スリット２ｅｓに連通する交差スリット２ｅｃｓとを有する。スリット２ｅｓは、取付部２ａから延びる連接部２ｃの縁部２ｃａ，２ｃｂの一方の縁部２ｃｂから他方の縁部２ｃａに向かって延びる。スリット２ｅｓは、取付部２ａに対して略平行に延びている。交差スリット２ｅｃｓは、スリット２ｅｓの先端において当該スリット２ｅｓの延在方向に対して直交して形成されている。
【００４６】
各連接部２ｂ，２ｃのスリット２ｄｓ，２ｅｓのそれぞれには、ワイヤーＷが進入し、進入したワイヤーＷに係止具２は係止される。図１１（ａ）から（ｄ）に示すように、スリット２ｄｓ，２ｅｓはそれぞれ、当該連接部２ｂ，２ｃと交差する同一の仮想平面ＶＰ上を延びていて、互いに異なる側の縁部２ｂａ，２ｃｂから延びている。即ち、スリット２ｄｓは、縁部２ｂａ（２ｃａ）の側から縁部２ｂｂ（２ｃｂ）の側に向かって延び、スリット２ｅｓは、縁部２ｃｂ（２ｂｂ）の側から縁部２ｃａ（２ｂａ）の側に向かって延びている。
また、スリット２ｄｓ，２ｅｓは、少なくともそれぞれの先端部が平面視において互いに重なるように形成されており、交差スリット２ｄｃｓ，２ｅｃｓは、平面視において完全に重なるように形成されている（図１１（ｂ）、（ｃ）参照。）。
なお、図示の実施の形態においては、各スリット２ｄｓ，２ｅｓは、仮想平面ＶＰが連接部２ｂ，２ｃに対して直角を形成する位置関係にあるが、仮想平面ＶＰは、各スリット２ｄｓ，２ｅｓを通るようになっていればよく、他の角度を形成する位置関係にあってもよい。
【００４７】
［固定部材］
図３に示すように、固定部材３は、パネル本体１をＨ鋼により形成された支柱（図１０参照。）Ｈに固定するための固定手段であり、ばね鋼板により形成されている。具体的には、固定部材３は、支柱Ｈのフランジ部Ｈｆと、パネル本体１の背壁部２１の間のスペースに挿入されて、背壁部２１に取り付けられる。
【００４８】
＜第２の実施の形態に係る防音パネル＞
次に、図１２を用いて、本発明の第２の実施の形態に係る防音パネル１００Ａについて説明する。以下では、第１の実施の形態に係る防音パネル１００と異なる部分についてのみ説明し、防音パネル１００と同じ構成については、同一符号を付して説明を省略する。
図１２は、吸音材を取り除いた状態において第２の実施の形態に係る防音パネルの構成を説明するための図である。
防音パネル１００Ａは、パネル本体１Ａと、係止具２と、固定部材３（図示せず。）とを備える。パネル本体１Ａは、防音パネル１００のパネル本体１とは異なり、その背壁部２１及び側壁部５０に開口を備えていない。
【００４９】
＜防音パネル１００，１００Ａの適用例＞
次に、複数の支柱Ｈ間において後述する防音パネル（他の防音パネル）Ｐを積み重ねて構築した既設の防音壁２００への防音パネル１００，１００Ａの適用例について説明する。以下の説明では、既設の防音壁２００の防音パネルＰが、例えば道路を走行する車両の接触により破損した場合、当該破損した防音パネルＰを防音パネル１００，１００Ａと交換する方法について説明する。
図１３は、防音壁２００の構成を説明するための図であり、（ａ）は、防音壁２００の正面図であり、（ｂ）は、防音壁２００の側面図である。図１４は、図１３（ｂ）におけるXIV部分の拡大図である。
図１３（ａ）に示すように、防音壁２００は、所定の間隔で設置された支柱Ｈと、当該支柱Ｈ間に積み重ねられた複数の防音パネルＰとを備えている。
支柱Ｈは、Ｈ型鋼により形成されており、互いに向かい合う一対のフランジ部Ｈｆと、当該フランジ部Ｈｆを繋ぐウェブ部Ｈｗとを有する（図１０参照。）。図１３（ｂ）に示すように、支柱Ｈは、防音壁２００の上下方向において上側を騒音源の側（道路側）に湾曲させて形成されている。支柱Ｈは、支柱Ｈを設置する壁高欄２１０に対して垂直に延びる垂直部Ｈ１と、当該垂直部Ｈ１の上端部から連続して道路側に湾曲させられた湾曲部Ｈ２とを備える。
【００５０】
防音パネルＰは、防音パネル１００のパネル本体１とほぼ同じ構成を有しているが、背壁部２１に屈曲部及び開口、並びに、側壁部５０に開口５１ａを有しておらず、さらに、係止具２を有していない。防音パネルＰは、係止具２ではなくアイボルトＥＢを有し、アイボルトＥＢの環を脱落防止用のワイヤーＷが通っている（図１４参照。）。
支柱Ｈの垂直部Ｈ１の最上段部に位置する防音パネルＰと、湾曲部Ｈ２の最下段部に位置する防音パネルＰとの間には、積み重ねられた防音パネルＰを下方から支持する受け材９が設けられている。受け材９は、鋼板等の金属により形成されて、支柱Ｈのウェブ部Ｈｗにおいて防音壁２００の背面側に設けられている。
図１４に示すように、受け材９は、ボルト及びナットにより支柱Ｈのウェブ部Ｈｗに取り付けられる本体９１と、当該本体９１に連結されて垂直部Ｈ１と湾曲部Ｈ２と間で防音パネルＰを支持する支持体９５とを備える。
【００５１】
図１５は、受け材９の本体９１の構成を説明するための図であり、（ａ）は、本体９１の側面図であり、（ｂ）は、本体９１の正面図であり、（ｃ）は、本体９１の平面図である。
本体９１は、断面視略Ｌ字形に形成されている。略Ｌ字形の本体９１は、支柱Ｈのウェブ部Ｈｗに取り付けられる、例えば平面視略矩形の取付部９２と、当該取付部９２に対して直角に曲げられて支持体９５が連結される平面視略矩形の連結部９３とを備える。
取付部９２には、その長手方向に並んで受け材９を支柱Ｈに取り付けるボルトが挿通される２つの挿通孔９２ａ，９２ｂが形成されている。連結部９３には、支持体９５と連結するためのボルトＢが挿通される挿通孔９３ａが形成されている。
【００５２】
図１６は、受け材９の支持体９５の構成を説明するための図であり、（ａ）は、支持体９５の側面図であり、（ｂ）は、支持体９５の平面図である。
支持体９５は、本体９１の連結部９３に連結される平面視略矩形状の連結部９６と、連結部９６から垂直に突出した突出部９７とを備える。突出部９７は、連結部９６の長手方向において真ん中からずれた位置に形成されて、連結部９６を大小２つの領域に分割している。連結部９６には、本体９１の連結部９３における挿通孔９３ａと整合してボルトＢが挿通される挿通孔９６ａが形成されている。挿通孔９６ａは、突出部９７により分割された連結部９６の領域のうち大きな領域に形成されている。
支持体９５は、突出部９７により分割された領域のうち小さな領域において、防音パネルＰの下枠４０を支持する。また、突出部９７は、防音パネルＰの背面側への移動を規制している（図１４参照。）。
【００５３】
（防音パネル１００，１００Ａの設置方法）
次に、図１７から図２０を用いて、防音パネル１００，１００Ａの設置方法について説明する。図１７は、防音壁２００に防音パネル１００，１００Ａを設置する手順を説明するための概略図であり、（ａ）は、破損した防音パネルＰを備えた状態を示し、（ｂ）は、支柱Ｈの垂直部Ｈ１における防音パネルＰを除去した状態を示し、（ｃ）は、防音パネル１００Ａが設置された状態を示し、（ｄ）は、防音パネル１００の設置を説明するための図である。図１８は、支柱Ｈ間への防音パネル１００Ａの設置を説明するための図であり、（ａ）から（ｄ）は、防音パネル１００Ａの設置手順を説明するための図である。図１９は、ワイヤーＷへの係止具２の係止を説明するための図であり、（ａ）から（ｃ）は、ワイヤーＷへの係止具２の係止手順を説明するための図である。図２０は、防音壁２００に防音パネル１００が設置された状態を示す図である。
防音壁２００の、例えば、支柱Ｈの垂直部Ｈ１間に積み重ねられている防音パネルＰが道路を走行する大型車両の荷台等の接触により破損することがある。従来、防音パネルＰ同士は、一方の防音パネルＰの上枠に他方の防音パネルＰの下枠が載置される形式で互いに積み重ねられているので、垂直部Ｈ１における破損した防音パネルＰを撤去したい場合、作業員は、まず、支柱Ｈの湾曲部Ｈ２における防音パネルＰを引き抜かなければならない。
【００５４】
これに対して、防音壁２００においては、図１４に示すように、湾曲部Ｈ２における防音パネルＰと垂直部Ｈ１における防音パネルＰとの間に受け材９が設けられている。かくして、図１７に示すように、垂直部Ｈ１における防音パネルＰを支柱Ｈ間から取り外したとしても、湾曲部Ｈ２における防音パネルＰは受け材９により支持されているので落下移動することはない。したがって、作業員は、防音壁２００において垂直部Ｈ１における防音パネルＰだけを防音壁２００の正面側から取り除くことができる。
【００５５】
次に、図１８を用いて、支柱Ｈの垂直部Ｈ１に空いたスペースに防音パネル１００Ａを設置する手順について説明する。
図１８（ａ）及び（ｂ）に示すように、支柱Ｈの垂直部Ｈ１の空いたスペースに、長手方向における寸法が防音パネルＰよりも小さく形成されたパネル本体１Ａを防音壁２００の正面側から支柱Ｈの垂直部Ｈ１に挿入する。なお、挿入時にパネル本体１Ａに吸音材１０は装着されていない。まず、パネル本体１Ａの一方の側壁部５０を、一方の支柱Ｈのフランジ部Ｈｆ間において背面側まで押し込み、次いで、他方の側壁部５０を他方の支柱Ｈのフランジ部Ｈｆ間に挿入する。
次いで、防音壁２００の正面側から係止具２を支柱Ｈのウェブ部Ｈｗとパネル本体１Ａの側壁部５０との間のスペースに挿入する。パネル本体１Ａの上側にはスペースが十分に確保されているので、作業員は、パネル本体１Ａの上端側からウェブ部Ｈｗとパネル本体１Ａの側壁部５０との間のスペースに係止具２を運ぶ（挿入する）ことができる。
【００５６】
ここで、図１９を用いて、係止具２をワイヤーＷに係止する手順を説明する。図１９（ａ）、（ｂ）に示すように、作業員は、係止具２の一対の連接部２ｂ，２ｃの間にワイヤーＷを挟むように係止具２を移動させる。次いで、図１９（ｃ）に示すように、各連接部２ｂ，２ｃのスリット２ｄｓ，２ｅｓにワイヤーＷが進入する方向に係止具２を９０°回転させる。この状態において、係止具２は、ワイヤーＷに係止されており、ワイヤーＷは、スリット２ｄｓ，２ｅｓの互いに重なる部分において係止具２に保持されている。
【００５７】
次いで、作業員は、係止具２と共にワイヤーＷを側壁部５０の本体部５１に引き寄せて、係止具２のナットＮを側壁部５０の挿通孔５１ｂに整合させ、収容部２０側からボルトＢを挿通してナットＮと係合させる。かくして、ワイヤーＷを支柱Ｈから外すことなく、ワイヤーＷとパネル本体１Ａとを連結することができるので、防音パネルの交換作業の負担を大幅に減じることができる。
係止具２の切欠き部２ｄ，２ｅは、交差スリット２ｄｃｓ，２ｅｃｓをそれぞれ備えているので、ワイヤーＷをスリット２ｄｓ，２ｅｓにおいてだけでなく、交差スリット２ｄｃｓ，２ｅｃｓにおいても可動に保持することができる。かくして、係止具２を介してワイヤーＷとパネル本体１Ａとを容易に連結することができる。
【００５８】
また、側壁部５０の挿通孔５１ｂは、防音パネル１００Ａの厚さ方向における側壁部５０の本体部５１の中心よりも、正面側の突出部５２側に形成されているので、係止具２は、正面側で側壁部５０に取り付けられている。かくして、係止具２は、側壁部５０に取り付けられた状態において回転しようとしても側壁部５０の突出部５２に接触するので、ワイヤーＷが係止具２から外れることを確実に防ぐことができる。
また、図１０に示すように、係止具２の連接部２ｂ，２ｃは、側壁部５０の突出部５２，５３を超えて支柱Ｈのウェブ部Ｈｗに対向する位置にあるので、防音パネル１００Ａの長手方向における移動を規制することができる。
【００５９】
次いで、図１８（ｃ）に示すように、作業員は、パネル本体１Ａの背壁部２１と支柱Ｈの背面側のフランジ部Ｈｆとの間のスペースに固定部材３を挿入し、当該スペースにおいて圧縮された状態の固定部材３をパネル本体１Ａの背壁部２１に取り付ける。その後、固定部材３を解放することでパネル本体１Ａは、固定部材３により背面側から支柱Ｈの正面側のフランジ部Ｈｆに押し付けられて支柱Ｈのフランジ部Ｈｆ間に固定される。
最後に、図１８（ｄ）に示すように、作業員は、正面側から吸音材１０を収容部２０内に挿入する。以上で、支柱Ｈ間への防音パネル１００Ａの設置が完了する（図１７（ｂ）参照。）。
【００６０】
上記作業を支柱Ｈの垂直部Ｈ１において複数回繰り返す。そして、垂直部Ｈ１における最上段部（湾曲部Ｈ２の直下）において防音パネル１００Ａに防音パネル１００を載置する（図１７（ｃ）参照。）。防音パネル１００の設置方法は、防音パネル１００Ａの設置方法とほぼ同じであるので、以下では異なる方法についてのみ説明する。
なお、設置する防音パネル１００の長手方向及び高さ方向における寸法は、防音パネルＰよりも小さく形成されている。
【００６１】
支柱Ｈ間へパネル本体１を挿入した場合、パネル本体１と防音パネルＰとの間には十分な作業スペースは確保されていない（図１７（ｃ）参照。）。したがって、支柱Ｈのウェブ部Ｈｗとパネル本体１の側壁部５０との間のスペースに係止具２を挿入する場合、作業員は、側壁部５０の開口５１ａを通じて当該スペースに係止具２を挿入する。作業員は、側壁部５０の開口５１ａを通じて係止具２をワイヤーＷに係止させて側壁部５０に取り付けて、ワイヤーＷとパネル本体１とを連結する（図２０参照。）。
また、作業員は、背壁部２１の開口２１ｃを通じて、支柱Ｈのフランジ部Ｈｆとパネル本体１の背壁部２１との間のスペースに固定部材３を挿入する。
防音パネル１００の設置後、当該防音パネル１００とその上方において受け材９に支持されている防音パネルＰとの間の隙間を防音壁２００の正面側から所定の板材Ｐｌによって覆う。以上で、防音パネル１００，１００Ａの設置（交換）が完了する。
【００６２】
＜その他＞
なお、交換する防音パネルには、全て防音パネル１００を用いてもよい。
また、防音パネル１００における背壁部２１の開口２１ａ、及び側壁部５０の開口５１ａの位置は、上記の実施の形態に限定されず、防音パネル１００の上下方向においていずれの場所にあってもよい。
また、防音パネル１００Ａの側壁部５０は、開口５１ａを有していてもよい。
【符号の説明】
【００６３】
１  パネル本体
１０  吸音材（吸音部）
２０  収容部
２１  背壁部
２１ｃ  開口（背壁開口）
３０  上枠
４０  下枠
５０  側壁部
５１  本体部
５１ａ  開口（側壁開口）
５２，５３  突出部
６０  縦枠
２  係止具
２ａ  取付部
２ｂ，２ｃ  連接部
２ｄ，２ｅ  切欠き部
２ｄｓ，２ｅｓ  スリット
２ｄｃｓ，２ｅｃｓ  交差スリット
３  固定部材
１００，１００Ａ  防音パネル
２００  防音壁
Ｂ  ボルト
Ｈ  支柱
Ｈｆ  フランジ部
Ｈｗ  ウェブ部
Ｎ  ナット（係合部材）
Ｐ  他の防音パネル
Ｗ  ワイヤー
【図１】
2018119585.tif 000003
【図２】
2018119585.tif 000004
【図３】
2018119585.tif 000005
【図４】
2018119585.tif 000006
【図５】
2018119585.tif 000007
【図６】
2018119585.tif 000008
【図７】
2018119585.tif 000009
【図８】
2018119585.tif 000010
【図９】
2018119585.tif 000011
【図１０】
2018119585.tif 000012
【図１１】
2018119585.tif 000013
【図１２】
2018119585.tif 000014
【図１３】
2018119585.tif 000015
【図１４】
2018119585.tif 000016
【図１５】
2018119585.tif 000017
【図１６】
2018119585.tif 000018
【図１７】
2018119585.tif 000019
【図１８】
2018119585.tif 000020
【図１９】
2018119585.tif 000021
【図２０】
2018119585.tif 000022